(57)【要約】【課題】運転者等の操作者を安定した心理状態に導き、危険な運転を未然に防止する推奨経路を探索することが可能な経路探索装置及び経路探索方法等を提供する。【解決手段】車両が過去に走行した経路に対して、当該経路を走行したときの当該車両の挙動についての危険度を段階的に表した挙動レベルが対応付けられた経路データを記憶しておき、目的地点までの推奨経路の探索に当たって、推奨経路となるべき経路候補が複数あるとき、少なくとも一つ経路候補に対して挙動レベルが対応付けられているか否かを判断し、当該挙動レベルが対応付けられている場合には、当該挙動レベルに基づいて、何れの経路候補を推奨経路とするかを決定するように構成した。【選択図】図５
2008175571.tif 000002
【特許請求の範囲】
【請求項１】
移動体に設けられ、出発地点から目的地点までの推奨経路を探索する経路探索装置であって、
前記移動体が過去に走行した経路に対して、当該経路を走行したときの当該移動体の挙動についての危険度を段階的に表した挙動レベルが対応付けられた経路データを記憶する記憶手段と、
前記目的地点までの推奨経路を探索する経路探索手段と、
を備え、
前記経路探索手段は、前記推奨経路となるべき経路候補が複数あるとき、少なくとも一つ経路候補に対して前記挙動レベルが対応付けられているか否かを判断し、当該挙動レベルが対応付けられている場合には、当該挙動レベルに基づいて、何れの前記経路候補を前記推奨経路とするかを決定することを特徴とする経路探索装置。
【請求項２】
請求項１に記載の経路探索装置において、
前記経路探索手段は、前記挙動レベルが対応付けられた経路候補のうち、当該挙動レベルで表された危険度が最も低い経路候補を前記推奨経路として決定することを特徴とする経路探索装置。
【請求項３】
請求項１又は２に記載の経路探索装置において、
前記移動体の挙動に関する挙動情報を取得する挙動情報取得手段と、
前記取得された挙動情報に基づいて、現在走行している経路における前記挙動レベルを決定する挙動レベル決定手段と、
現在走行している経路と、当該経路における前記決定された挙動レベルとを対応付けて前記経路データとして記憶する挙動レベル対応付け手段と、
を更に備えることを特徴とする経路探索装置。
【請求項４】
請求項１又は２に記載の経路探索装置において、
前記移動体の挙動に関する挙動情報を取得する挙動情報取得手段と、
前記取得された挙動情報に基づいて、前記移動体の挙動が危険状態にあるか否かを判断する危険状態判断手段と、
を更に備え、
前記経路探索手段は、前記危険状態にあると判断された場合に、前記目的地点までの推奨経路を再探索することを特徴とする経路探索装置。
【請求項５】
請求項３に記載の経路探索装置において、
前記挙動レベル対応付け手段は、前記決定された挙動レベルを対応付ける対象となる経路に対して既に前記挙動レベルが対応付けられている場合には、双方の前記挙動レベルを所定の計算式に代入して新たな挙動レベルを算出し、当該算出した新たな挙動レベルを当該経路に対して対応付けることを特徴とする経路探索装置。
【請求項６】
請求項３乃至５の何れか一項に記載の経路探索装置において、
前記挙動情報取得手段は、前記移動体が経路を走行中に前記挙動情報を複数回取得し、前記挙動レベル決定手段は、当該取得された複数の挙動情報に基づいて前記挙動レベルを決定することを特徴とする経路探索装置。
【請求項７】
請求項６に記載の経路探索装置において、
前記挙動レベル決定手段は、前記複数の挙動情報から求められる前記移動体の挙動の変化に関する値に基づいて前記挙動レベルを決定することを特徴とする経路探索装置。
【請求項８】
移動体に設けられ、出発地点から目的地点までの推奨経路を探索する経路探索方法であって、
前記移動体が過去に走行した経路に対して、当該経路を走行したときの当該移動体の挙動についての危険度を段階的に表した挙動レベルが対応付けられた経路データを記憶する工程と、
前記目的地点までの推奨経路を探索する経路探索工程と、
を備え、
前記経路探索工程においては、前記推奨経路となるべき経路候補が複数あるとき、少なくとも一つ経路候補に対して前記挙動レベルが対応付けられているか否かを判断し、当該挙動レベルが対応付けられている場合には、当該挙動レベルに基づいて、何れの前記経路候補を前記推奨経路とするかを決定することを特徴とする経路探索方法。
【請求項９】
移動体に設けられ、出発地点から目的地点までの推奨経路を探索するコンピュータを、
前記移動体が過去に走行した経路に対して、当該経路を走行したときの当該移動体の挙動についての危険度を段階的に表した挙動レベルが対応付けられた経路データを記憶する記憶手段、及び
前記目的地点までの推奨経路を探索する経路探索手段として機能させ、
前記経路探索手段が、前記推奨経路となるべき経路候補が複数あるとき、少なくとも一つ経路候補に対して前記挙動レベルが対応付けられているか否かを判断し、当該挙動レベルが対応付けられている場合には、当該挙動レベルに基づいて、何れの前記経路候補を前記推奨経路とするかを決定するように機能させることを特徴とする経路探索処理プログラム。
【請求項１０】
経路探索処理プログラムをコンピュータ読み取り可能に記録したことを特徴とする記録媒体。
【発明の詳細な説明】
【技術分野】
【０００１】
本発明は、車両等の移動体に設けられ、出発地点から目的地点までの推奨経路を探索する経路探索装置等の技術分野に関する。
【背景技術】
【０００２】
従来より、車両の出発地点から目的地点までの推奨経路を探索し、当該推奨経路に沿って運転者等に対する経路案内を実行するナビゲーション装置が知られている。
【０００３】
このようなナビゲーション装置の中で、例えば、特許文献１には、出発地点から目的地点までの推奨経路を複数本探索し、複数本の推奨経路のうちで車両が実際には走行しなかった経路を走行したと仮定した場合における当該車両の現在位置を推定し、推定された車両の現在位置に関するデータを出力装置に出力させるナビゲーション装置が提案されている。
【０００４】
また、例えば、特許文献２には、自車両の前方にいる低速車両を検出し、より短時間で目的地点まで到着できる迂回ルートを探索するナビゲーション装置が提案されている。
【特許文献１】特開２００４−１９８２７８号公報
【特許文献２】特開２００５−００３４１９号公報
【発明の開示】
【発明が解決しようとする課題】
【０００５】
ところで、日ごろ走行している道路の環境によっては、運転者はあらゆる障害や道路形状、パターン、天候、渋滞等の影響により、無意識に心理状態が不安定になる場合がある。
【０００６】
従来の技術においては、このような運転者の不安定な心理状態による危険な運転を未然に防ぐような推奨経路を探索することは困難であった。
【０００７】
そこで、本願の課題の一例は、運転者等の操作者を安定した心理状態に導き、危険な運転を未然に防止する推奨経路を探索することが可能な経路探索装置及び経路探索方法等を提供することにある。
【課題を解決するための手段】
【０００８】
上記課題を解決するため、請求項１に記載の発明は、移動体に設けられ、出発地点から目的地点までの推奨経路を探索する経路探索装置であって、前記移動体が過去に走行した経路に対して、当該経路を走行したときの当該移動体の挙動についての危険度を段階的に表した挙動レベルが対応付けられた経路データを記憶する記憶手段と、前記目的地点までの推奨経路を探索する経路探索手段と、を備え、前記経路探索手段は、前記推奨経路となるべき経路候補が複数あるとき、少なくとも一つ経路候補に対して前記挙動レベルが対応付けられているか否かを判断し、当該挙動レベルが対応付けられている場合には、当該挙動レベルに基づいて、何れの前記経路候補を前記推奨経路とするかを決定することを特徴とする。
【０００９】
また、請求項８に記載の発明は、移動体に設けられ、出発地点から目的地点までの推奨経路を探索する経路探索方法であって、前記移動体が過去に走行した経路に対して、当該経路を走行したときの当該移動体の挙動についての危険度を段階的に表した挙動レベルが対応付けられた経路データを記憶する工程と、前記目的地点までの推奨経路を探索する経路探索工程と、を備え、前記経路探索工程においては、前記推奨経路となるべき経路候補が複数あるとき、少なくとも一つ経路候補に対して前記挙動レベルが対応付けられているか否かを判断し、当該挙動レベルが対応付けられている場合には、当該挙動レベルに基づいて、何れの前記経路候補を前記推奨経路とするかを決定することを特徴とする。
【００１０】
また、請求項９に記載の経路探索処理プログラムの発明は、移動体に設けられ、出発地点から目的地点までの推奨経路を探索するコンピュータを、前記移動体が過去に走行した経路に対して、当該経路を走行したときの当該移動体の挙動についての危険度を段階的に表した挙動レベルが対応付けられた経路データを記憶する記憶手段、及び前記目的地点までの推奨経路を探索する経路探索手段として機能させ、を備え、前記経路探索手段が、前記推奨経路となるべき経路候補が複数あるとき、少なくとも一つ経路候補に対して前記挙動レベルが対応付けられているか否かを判断し、当該挙動レベルが対応付けられている場合には、当該挙動レベルに基づいて、何れの前記経路候補を前記推奨経路とするかを決定するように機能させることを特徴とする。
【発明を実施するための最良の形態】
【００１１】
次に、本願の最適な実施の形態について、図面に基づいて説明する。なお、以下に説明する実施の形態は、移動体の一例としての車両に搭載された車載用ナビゲーション装置に対して本願を適用した場合の実施形態である。
【００１２】
先ず、図１等を参照して、本実施形態における車載用ナビゲーション装置の構成及び機能を説明する。
【００１３】
図１は、本実施形態に係る車載用ナビゲーション装置の概要構成例を示す図である。
【００１４】
図１に示すように、車載用ナビゲーション装置Ｓは、ＧＰＳ（Global Positioning System）受信部１、センサ部２、交通情報受信部３、情報記憶部４、表示部５、音声出力部６、操作部７、及びシステム制御部８等を備えて構成されている。
【００１５】
ＧＰＳ受信部１は、衛星軌道上に配置され地球を周回するＧＰＳ衛星から出力される航法電波を、図示しないアンテナを介して受信し、受信した信号に基づいて位置情報（経度及び緯度）を検出し、ＧＰＳデータとしてシステム制御部８へ出力するようになっている。
【００１６】
センサ部２は、例えば、車速パルスに基づき車両の速度を検出する速度センサ、地磁気を利用して車両の走行方位を検出する方位センサ（ジャイロセンサ）、車両の加速度を検出する加速度センサ、車両の走行距離を検出する距離センサ等を備えており、これらのセンサによって検出された各データ（速度データ、方位データ、加速度データ、走行距離データ等）を、システム制御部８へ出力するようになっている。
【００１７】
交通情報受信部３は、例えばＶＩＣＳ（Vehicle Information and Communication System）受信機を有しており、ＦＭ多重放送、道路（主要幹線道路や高速道路）上に設置された光（赤外線）ビーコン、電波（準マイクロ波）ビーコン等から発信された道路交通情報（例えば、渋滞区間及び当該区間の車両平均速度（例えば２０km/h〜３０km/h）等を示す情報）を受信し、システム制御部８へ出力するようになっている。
【００１８】
記憶手段の一例としての情報記憶部４は、例えば、ＣＤ（Compact Disc）ドライブ、ＤＶＤ（Digital Versatile Disc）ドライブ、又はＨＤ（Hard Disk）ドライブ等を備えており、システム制御部８の制御の下、各ドライブが、ＣＤ−ＲＯＭ、ＤＶＤ−ＲＯＭ、又はＨＤ等の記録媒体からデータ及びプログラム（本願の経路探索プログラム等を含む）を読み出し、システム制御部８へ出力するようになっている。また、システム制御部８の制御の下、ＨＤドライブは、ＨＤへの各種データの記憶（記録）を行うようになっている。なお、上記データ及びプログラムは、例えば、インターネット及び移動体通信網（無線基地局を含む）等を含む通信ネットワークに接続された所定のサーバに記憶保存しておき、適宜、当該サーバから送信され、図示しないアンテナ及び通信部を介してシステム制御部８へ出力されるように構成しても良い。
【００１９】
ここで、ＨＤ等に記憶されたデータには、例えば、地図データ、リンクデータ、ノードデータ、案内データ、及び走行履歴データ、更には、利用者に対し入力指示や選択指示を促すためのデータ（例えば、メニューデータ）等が含まれている。
【００２０】
上記地図データは、表示部５における画面上に地図を表示するための地図画像データ、及び各地点の座標（緯度及び経度に対応する地図上における座標（X,Y））を示すデータ等を含んでおり、例えば、地図上における複数の行政区画の境界を示す複数の行政界データ（各行政区画に対応する住所を含む）、地図上における道路を示す道路データ（各道路名、各交差点名、及び各合流点（ジャンクション）名等を含む）、地図上における複数の平面区画（例えば、施設や建物等が設置される区画）を示す複数の家形データ（各家形に対応する住所、郵便番号、及び電話番号等を含む）、及び河川や山岳の平面図等の形状を示す形状データ（河川や山岳の名称等を含む）等を含んでいる。
【００２１】
また、上記道路データにて示される道路は、複数の線分としてのリンクから構成され、少なくとも２つのリンクは、１つのノードで接続される。このノードは、例えば、各道路の交差点、屈曲点、分岐点、合流点（ジャンクション）、又は有料道路のインターチェン等の接点（結節点）を含む接続部分に対応する。
【００２２】
また、上記リンクデータは、上記各リンク毎に、リンクのリンクＩＤ、当該リンクが接続される２つのノードのノードＩＤ、当該リンクに対応する道路の距離（道路区間の距離）、属性、及び方位等の情報を有している（これらの情報は、各リンク毎に対応付けられている）。なお、道路の属性には、例えば、道路の幅員、道路の車線数、一方通行と双方通行の別、右左折レーンの有無等の情報が該当する。更に、各リンクには、そのリンクに対応する道路の距離や道路の属性等が考慮された重みづけとしてのリンクコストが設定される。例えば、道路の幅員が広い場合や、道路の車線数が多い場合には、当該区間の走行に要する時間は短くなるので、リンクコストが小さく設定される。
【００２３】
また、リンクコストは、交通情報受信部３により得られた渋滞等の交通状況により変化する（例えば、渋滞の場合、そのリンクに対応するリンクコストが小さく設定される）ようになっている。
【００２４】
また、上記ノードデータは、上記各ノード毎に、ノードのノードＩＤ、当該ノードの座標（緯度及び経度に対応する地図上における座標（X,Y））、及び当該ノードに接続されるリンクのリンクＩＤ等の情報を有している。更に、各ノードには、１のリンクに対応する道路からそのノードに対応する接続部分を介して他のリンクに対応する道路への車両の移動（直進、右左折等）の困難さをあらわす重みづけとしてのノードコストが設定される。一例を挙げると、幅員が広い道路から交差点を介して狭い道路へ車両が右折する場合には、曲がり難いので、ノードコストが大きく設定される。
【００２５】
これらのリンクデータ及びノードデータ等は、設定された目的地点までの推奨経路（例えば、出発地から目的地までの最短距離の経路や、出発地から目的地点までの最短時間の経路等）の探索の際等に用いられる。
【００２６】
また、上記案内データには、車両走行時の案内等に用いられる画像データ、文字データ、及び音声データ等が含まれる。
【００２７】
次に、上記走行履歴データには、車両が過去に走行した経路に対して、当該経路を走行したときの当該移動体の挙動についての危険度を段階的に表した挙動レベルが対応付けられた経路データ、及び走行時の年月日時を示す日時データ等が含まれる。
【００２８】
図２は、経路データの内容の一例を示す図である。図２に示すように、挙動レベルは、道路区間毎に対応付けられるようになっている。当該道路区間は、例えば交差点毎（ある交差点から次の交差点まで）、或いは所定距離毎に規定されるが、特に限定されるものではない。また、各道路区間は、当該道路を構成するリンクのリンクＩＤで規定されても良いし、座標で規定されても良い。
【００２９】
かかる挙動レベルは、目的地点までの推奨経路の探索の際に、車両の操作者である運転者の心理状態を安定にさせる推奨経路の探索のために用いられる。どのような経路が運転者の心理状態を安定にさせるかは個人差があるが、その運転者が安全運転している（つまり、車両の挙動が安全状態にある）ときに走行している経路が、運転者の心理状態を安定にさせる経路として判断されるようになっている。
【００３０】
図３は、挙動レベルと危険度との関係の一例を示す図である。図３の例では、挙動レベルは１０段階で表されており、挙動レベルの数値が大きいほど危険度が高くなる一方、挙動レベルの数値が小さいほど危険度が低くなっている。危険度が低いということは、車両の挙動が安全状態にあることを意味している。
【００３１】
そして、図３の例では、挙動レベル“７”以上が車両の挙動が危険状態にあるとして判断されるようになっている。なお、どの挙動レベル以上を、危険状態にするかは、ユーザ又は製造者等により任意に設定可能になっている。また、図３の例では、挙動レベルを１０段階で示したが、これより少ない段階（例えば、５段階）で表しても良いし、これより多い段階（例えば、１００段階）で表しても良い。
【００３２】
また、かかる挙動レベルは、例えば、車両の走行中に、システム制御部８により取得された車両の挙動に関する挙動情報に基づいて決定され（詳細は後述）、当該挙動情報が取得されたときに走行している経路に対して対応付け（紐付け）されるようになっている。
【００３３】
なお、挙動情報としては、例えば、車両の速度、加速度、方位、ハンドル回転角度、アクセルの踏み込み具合、ブレーキの踏み込み具合、などを示す情報が該当する。
【００３４】
次に、表示部５は、例えば、描画処理部、バッファメモリ及びディスプレイ（例えば、液晶ディスプレイ、又は有機ＥＬディスプレイ等）等を備えており、描画処理部が、システム制御部８の制御の下、上記地図データ等をバッファメモリに展開、描画した後、ディスプレイにおける画面上に表示するようになっている。また、当該画面には、システム制御部８の制御の下、利用者に対し各種指示を促すための例えばメニューも表示される。なお、ディスプレイは、例えば、タッチパネル形式の液晶ディスプレイ等からなり、利用者による押下を検出し、その押下箇所にある各種指示を行うための指示ボタンに対応する指示信号をシステム制御部８へ出力するものであっても良い。
【００３５】
音声出力部６は、例えば、ＤＡＣ（デジタル／アナログ信号変換器）、アンプ、スピーカ等を備えており、システム制御部８から出力された車両走行時の案内等に係る音声データをＤＡＣによりＤ／Ａ変換した後、アンプにより増幅してスピーカから音波として出力するようになっている。
【００３６】
操作部７は、利用者からの各種指示（例えば、経路探索指示）等を受け付けるための複数の操作ボタンを有しており、利用者により押下された操作ボタンに対応する指示信号をシステム制御部８へ出力するようになっている。なお、操作部７は、各種操作ボタンが設けられたリモコン（図示せず）との間で赤外線通信を行い、当該リモコンからの指示信号を受信してシステム制御部８へ出力するものであっても良い。
【００３７】
そして、システム制御部８は、演算機能を有するＣＰＵ（Central Processing Unit）、作業用ＲＡＭ、各種データやプログラムを記憶するＲＯＭ等を備えており、システム制御部８のＣＰＵが、上述したプログラムを読み出し実行することにより、当該車載用ナビゲーション装置Ｓにおける構成要素全体を統括制御すると共に、本願の経路探索手段、挙動情報取得手段、危険状態判断手段、挙動レベル決定手段、及び挙動レベル対応付け手段等として機能し、後述する処理を実行するようになっている。
【００３８】
また、システム制御部８は、車両における各機器の制御を担う車両ＥＣＵ２０と通信バス（図示せず）を介して相互にデータ通信を行うことが可能となっている。車両ＥＣＵ２０は、車両内における各種センサを通じて、アクセルの踏み込み具合（アクセルの基準位置に対する踏み込み位置）、ブレーキの踏み込み具合（ブレーキの基準位置に対する踏み込み位置）、エンジン回転数、及びハンドル（ステアリング）回転角度等を認識しており、これらを示す情報をシステム制御部８に出力する。
【００３９】
そして、システム制御部８は、車両ＥＣＵ２０からのアクセルの踏み込み具合、ブレーキの踏み込み具合、エンジン回転数、及びハンドル回転角度、並びに、センサ部２からの速度データ、方位データ、及び加速度データのうち少なくとも何れか一つの情報を挙動情報として取得（ＲＡＭの所定領域に記憶）するようになっている。
【００４０】
また、システム制御部８は、当該挙動情報を、例えば所定周期（特に限定されない）で複数回取得するようになっており、当該取得した複数の挙動情報（つまり、現在車両が走行している経路（ある道路区間）において取得された複数の挙動情報）から求められる車両の挙動の変化に関する値に基づいて上述した挙動レベル（つまり、現在走行している道路区間における挙動レベル）を決定する。
【００４１】
車両の挙動の変化に関する値としては、例えば、速度データ等から求められる車両の速度の変化量、方位データから求められる車両の方向の変化量、アクセルの踏み込み具合を示す情報から求められるアクセルの踏み込み具合の変化量、ブレーキの踏み込み具合を示す情報から求められるブレーキの踏み込み具合の変化量、ハンドル回転角度を示す情報から求められるハンドル回転角度の変化量等が挙げられる。これらの変化量は、例えば、今回取得した挙動情報に係る値（例えば、速度）と、前回（例えば数秒前に）取得した挙動情報に係る値との差の絶対値を算出することにより求めることができる。一般に、所定単位時間当たりの車両の速度の変化量、アクセルの踏み込み具合の変化量、及びブレーキの踏み込み具合の変化量が大きい場合には、急アクセルや急ブレーキによる危険な挙動があったと推定され、また、車両の方向の変化量及びハンドル回転角度の変化量が大きい場合には、急ハンドルによる危険な挙動があったと推定される。
【００４２】
図４は、一道路区間において、車両走行中に所定間隔（例えば、１秒）毎に求められた、車両の挙動に関する変化量（例えば、車両の速度の変化量）を時系列的に示した概念図である。図４の例においては、一道路区間の終了までに求められた変化量が閾値を超えた回数は９回（符号４１部の枠内）である。また、図４の例においては、当該道路区間の前半（符号４１部）よりも後半（符号４２部）の方が閾値を超えた変化量が少ない傾向にあることがわかる。
【００４３】
このようにして求められた複数の変化量から、変化量が閾値を超えた回数、それらの変化量の平均値、及び変化の傾向の３つのパラメータが算出され、これらのパラメータの一つ又は組合せを用いられてそのときの挙動レベルが決定されることになる。
【００４４】
変化量が閾値を超えた回数のパラメータのみが用いられる場合、変化量が閾値を超えた回数が２０回以上のとき挙動レベルが“１０”となり、当該回数が１８回以上２０未満のとき挙動レベルが“９”となり、当該回数が１６回以上１８未満のとき挙動レベルが“８”となり、当該回数が１４回以上１６未満のとき挙動レベルが“７”となり、当該回数が１２回以上１４未満のとき挙動レベルが“６”となり、・・・というように挙動レベルが決定される。また、閾値を超えた変化量の平均値のパラメータのみが用いられる場合、閾値を超えた変化量の平均値が３０以上のとき挙動レベルが“１０”となり、当該変化量の平均値が２５以上３０未満のとき挙動レベルが“９”となり、当該変化量の平均値が２１以上２５未満のとき挙動レベルが“８”となり、当該変化量の平均値が１７以上２１未満のとき挙動レベルが“７”となり、当該変化量の平均値が１２以上１７未満のとき挙動レベルが“６”となり、・・・というように挙動レベルが決定される。また、変化の傾向のパラメータのみが用いられる場合、変化量が閾値を超えた回数が当該道路区間の終了に近づくにつれて増加する場合には、挙動レベルが高く（その中でも増す割合が大きければ、その割合に応じて挙動レベルが高く）決定され、当該道路区間の終了に近づくにつれて減少する場合（例えば、図４に示すような場合）には、挙動レベルが低く決定される。また、これらのパラメータの組合せが用いられる場合、これらのパラメータが代入される計算式が用いられ、当該計算式により算出された値が対応する挙動レベルが決定される（或いは、挙動レベル毎に上記パラメータの組合せ条件を記述したテーブルを用いて決定されるようにしても良い）。
【００４５】
このように決定される挙動レベルは、１種類の挙動情報から求められる変化量に基づき決定されても良いが、より精度を高めるためには、複数種類の挙動情報（例えば、車両の速度（又は、アクセルの踏み込み具合）と、ハンドル回転角度（又は、車両の方向））の夫々から求められる変化量に基づき決定されることが望ましい（速度に関する危険性（急アクセルや急ブレーキ）と、方向に関する危険性（蛇行運転等）の２つの要素を考慮した挙動レベルを決定すれば、より精度を高められる）。
【００４６】
また、挙動レベルの決定に当たって、ＨＤ等に記憶された地図データにて示される高速道路の有無、交差点の有無、カーブの有無等を考慮するようにしても良い。例えば、走行していた経路における高速道路や交差点の割合に応じて上記閾値を変化（高速道路又は交差点の割合が多い場合には、その分上記閾値を上げる等）させるように構成しても良い。
【００４７】
そして、システム制御部８は、こうして挙動レベルを決定すると、上記挙動情報を取得したときの経路（道路区間）に対して、当該決定した挙動レベルを対応付け、経路データとして記憶する。
【００４８】
また、決定された挙動レベルを対応付ける対象となる経路（道路区間）に対して既に挙動レベルが対応付けられて記憶されている場合もありうるが、かかる場合、システム制御部８は、双方の挙動レベルを所定の計算式に代入して新たな挙動レベルを算出し、当該算出した新たな挙動レベルを当該経路に対して対応付けて記憶することになる。
【００４９】
そして、システム制御部８は、出発地点から目的地点までの推奨経路を探索する際に、推奨経路となるべき経路候補が複数あるとき、少なくとも一つ経路候補に対して挙動レベルが対応付けられているか否かを判断し、当該挙動レベルが対応付けられている場合には、当該挙動レベルに基づいて、何れの経路候補を推奨経路とするかを決定するようになっている。例えば、挙動レベルが対応付けられた経路候補のうち、当該挙動レベルで表された危険度が最も低い経路候補が推奨経路として決定される。
【００５０】
次に、図５及び図６等を参照して、本実施形態に係る車載用ナビゲーション装置の動作を説明する。
【００５１】
図５は、システム制御部８における挙動レベル対応付け処理を示すフローチャートであり、図６は、システム制御部８における経路探索処理を示すフローチャートである。
【００５２】
（挙動レベル対応付け処理）
図５に示す挙動レベル対応付け処理は、システム制御部８により、例えば車両の運転者からの操作部７を介した挙動レベル対応付け開始指示があった後、車両が走行中であることが検知（例えば、所定速度（例えば、３ｋｍ／ｈ）以上検知）された場合に開始される。
【００５３】
ステップＳ１では、システム制御部８は、挙動レベルを対応付ける対象となるべき道路区間を決定する（ステップＳ１）。例えば、地図データが参照され、現在地点から次の交差点（又は分岐点）のある位置までの道路区間が決定される。
【００５４】
次いで、システム制御部８は、上述した挙動情報を取得し（ステップＳ２）、取得した挙動情報から、上述したように、車両の挙動に関する変化量を求め（算出）し（ステップＳ３）、続いて、当該変化量が閾値以上であるか否かを判別し（ステップＳ４）、閾値以上である場合には（ステップＳ４：ＹＥＳ）、当該変化量及びそのタイミングの時間（例えば、再生開始からＸ秒）をＲＡＭの所定領域に記憶保存し（ステップＳ５）、ステップＳ６に移行する。一方、当該変化量が閾値以上でない場合には（ステップＳ４：ＮＯ）、算出された変化量を記憶保存せず（破棄して）、ステップＳ６に移行する。
【００５５】
次いで、ステップＳ６では、システム制御部８は、当該道路区間が終了するか否かを判別し、終了する場合（例えば、次の交差点に到達した場合、或いは次の交差点の数ｍ手前に到達した場合）には（ステップＳ６：ＹＥＳ）、ステップＳ７に移行し、終了しない場合には（ステップＳ６：ＮＯ）、システム制御部１１は、ステップＳ２に戻り上記と同様の処理を行う。こうして、当該道路区間が終了すると判別されるまで、ステップＳ２〜Ｓ６の処理は、例えば所定間隔（例えば、１秒）毎に、繰り返し行われることになる。
【００５６】
次いで、ステップＳ７では、システム制御部８は、上記ステップＳ５にて記憶保存された挙動に関する変化量の数（つまり、変化量が閾値を超えた回数）を算出（カウント）する。
【００５７】
次いで、システム制御部８は、上記ステップＳ５にて記憶保存された挙動に関する変化量の平均値を算出する（ステップＳ８）。
【００５８】
次いで、システム制御部８は、上記ステップＳ５にて記憶保存された挙動に関する変化量及びそのタイミングの時間から、上述したように、挙動変化の傾向を判断し、その傾向に係る数値（割合等）を算出する（ステップＳ９）。
【００５９】
次いで、システム制御部８は、上記算出した挙動に関する変化量の数、挙動に関する変化量の平均値、及び挙動変化の傾向に係る数値から（これら算出された３つのパラメータの少なくとも一つを用いて）、上述したように、挙動レベルを決定する（ステップＳ１０）。
【００６０】
次いで、システム制御部８は、当該道路区間に既に（過去に）挙動レベルが対応付け（割り当て）られているか否かを判別し（ステップＳ１１）、対応付けられていない場合には（ステップＳ１１：ＮＯ）、上記決定された挙動レベルを、当該道路区間に対応付けて経路データとして記憶（挙動レベルの設定）する（ステップＳ１３）。
【００６１】
一方、当該道路区間に既に挙動レベルが対応付けられている場合には（ステップＳ１１：ＹＥＳ）、システム制御部８は、当該既に対応付けられている挙動レベルと、上記ステップＳ１０にて決定された挙動レベルと、を合算して平均値を算出し、これを小数点以下四捨五入（或いは小数点以下切捨て）して新たな挙動レベルを算出し（ステップＳ１２）、当該算出された挙動レベルを、当該道路区間に対応付けて経路データとして記憶（挙動レベルの設定）する（ステップＳ１３）。このように両挙動レベルの平均値をとることにより、過去に対応付けられている挙動レベルを大きく変化させないことができ、過去の車両の挙動の変化の学習効果を図ることができる。例えば、今回決定された挙動レベルと、過去に対応付けられた挙動レベルとの間の開きが大きい場合には、過去に対応付けられた挙動レベルに対して、新たに対応付けされる挙動レベルの変化は大きめになる。なお、今回決定された挙動レベルと、過去に対応付けられた挙動レベルとの平均値をとるに当たって、何れか一方の重み付けを大きくしても良い。
【００６２】
次いで、システム制御部８は、当該処理を終了するか否かを判別し（ステップＳ１４）、例えば車両の運転者からの操作部７を介した挙動レベル対応付け終了指示があった場合には、当該処理を終了し、当該処理を終了しない場合には（ステップＳ１４：ＮＯ）、ステップＳ１に戻り、次の道路区間（例えば、上記次の交差点から、車両が突入した道路先にある更に次の交差点まで）を決定し、上記と同様に処理を行う。
【００６３】
こうして、車両が走行した経路に対して、道路区間毎に挙動レベルが対応付けられていく（例えば、道路区間1)に対して挙動レベル５→道路区間2)に対して挙動レベル６→道路区間3)に対して挙動レベル６・・・と設定）ことになりこれが走行履歴データとなっていくことになる。
【００６４】
なお、例えば、道路区間が進むにつれて挙動レベルが急に上がる、例えば、道路区間1)に対して挙動レベル５→道路区間2)に対して挙動レベル８というように、挙動レベルが所定値以上上がった場合には、運転者の心理状態が急に悪くなり、危険度が高いと考えられるので、この２つの道路区間1)及び2)（或いは、道路区間2)のみ）に対して対応付けられた挙動レベルの双方に対して例えば所定値（例えば、２）加算し、更に挙動レベルを高くする（つまり、極力推奨経路として決定されない）ように構成すれば望ましい。
【００６５】
（経路探索処理）
図６に示す経路探索処理は、例えば車両の運転者から操作部７を介して目的地点が設定され、経路探索指示があった場合に開始される。
【００６６】
なお、当該経路探索処理については、図７を参照しつつ説明する。
【００６７】
図７は、出発地点から目的地点に至る途中の経路候補を含む地図の一例を示す図である。図７の例では、「（ａ）−（ｂ）」の道路区間は、片側２車線であるが、符号５１部で渋滞しており、運転者は当該渋滞によるイライラ感が起こり、少しでも前へ進むことが可能な車線への変更を頻繁に繰り返したため、挙動レベルが“５”と、他の道路区間に比べて比較的高めに設定されている。また、「（ｂ）−（ｃ）」間の道路区間は、渋滞が無いが、符号５１部の渋滞がようやく解消されたことから途端にイライラに対するストレスからの開放に向け、運転者は例えば急アクセル及び速度超過等の危険運転となったため、挙動レベルが“７”と、危険状態に設定されている。また、「（ｅ）−（ｆ）」の道路区間は、片側１車線であるが、渋滞等の障害がなく、挙動レベルは“３”と、他の道路区間に比べて比較的低めに設定されている一方、「（ｈ）−（ｉ）」の道路区間は、片側２車線であるが、大型ショッピングモール５２への出入りによる渋滞が生じ、運転者は少しでも前へ進むことが可能な車線への変更を頻繁に繰り返したため、挙動レベルが“５”と、他の道路区間に比べて比較的高めに設定されている。
【００６８】
なお、「（ｄ）−（ｅ）」の道路区間は、走行履歴がないので、挙動レベルが設定されていない。
【００６９】
ステップＳ２１では、システム制御部８は、例えば出発地点（当該処理開始時のみ）から次の地点（例えば、図７の場合、（ｃ）地点））までの経路候補を探索する。なお、かかる経路候補の探索処理は、例えば上述したリンクコスト等に基づき行われ、公知の様々な方法を適用できる。
【００７０】
次いで、システム制御部８は、複数の経路候補が探索されたか否かを判別し（ステップＳ２２）、一つの経路候補のみが探索された場合には（ステップＳ２２：ＮＯ）、当該探索した経路候補を推奨経路として決定し（ステップＳ２３）、ステップＳ３３に移行する。
【００７１】
一方、複数の経路候補が探索された場合には（ステップＳ２２：ＹＥＳ）、システム制御部８は、当該複数の経路候補への順位付けを行う（ステップＳ２４）。例えば、各経路候補の総リンクコスト（つまり、当該経路候補となる道路を構成する各リンクに対応付けられたリンクコストの総和）の大きい順に、第１位、第２位・・・とする。道路の幅員が広い経路候補や、道路の車線数が多い経路候補の総リンクコストは大きくなるので、当該経路候補の順位は上位になる。
【００７２】
例えば、図７の場合、第１位の経路候補が「（ａ）−（ｂ）−（ｃ）」の道路区間となり、第２位の経路候補が「（ａ）−（ｄ）−（ｇ）−（ｈ）−（ｉ）−（ｆ）−（ｃ）」の道路区間となり、第３位の経路候補が「（ａ）−（ｄ）−（ｅ）−（ｆ）−（ｃ）」の道路区間となり、第４位の経路候補が「（ａ）−（ｄ）−（ｇ）−（ｈ）−（ｅ）−（ｆ）−（ｃ）」の道路区間となる。
【００７３】
次いで、システム制御部８は、走行履歴データを参照して、挙動レベルが対応付けられている第１位以外の経路候補が有るか否かを判別し（ステップＳ２５）、無い場合には（ステップＳ２５：ＮＯ）、第１位の経路候補を推奨経路として決定し（ステップＳ２６）、ステップＳ３３に移行する。
【００７４】
一方、挙動レベルが対応付けられている第１位以外の経路候補が有る場合には（ステップＳ２５：ＹＥＳ）、当該経路候補を特定する（ステップＳ２７）。
【００７５】
例えば、図７の場合、上記第２位から第４位の経路候補のうち、第３位の経路候補は「（ｄ）−（ｅ）」の道路区間で挙動レベルが対応付けられていない（設定されていない）ので、当該第３位の経路候補は挙動レベルが対応付けられていないとされ、その他の第２位及び第４位の経路候補が特定されることになる。
【００７６】
次いで、システム制御部８は、第１位の経路候補に対して挙動レベルが対応付けられているか否かを判別し（ステップＳ２８）、対応付けられている場合には（ステップＳ２８：ＹＥＳ）、ステップＳ３０に移行し、対応付けられていない場合には（ステップＳ２８：ＮＯ）、当該第１位の経路候補（これを構成する１又は複数の道路区間）に対して仮の挙動レベル（例えば、中間のレベル“５”）を付加し（ステップＳ２９）、ステップＳ３０に移行する。
【００７７】
例えば、図７の場合、第１位の経路候補が「（ａ）−（ｂ）−（ｃ）」の道路区間に含まれる各道路区間（「（ａ）−（ｂ）」の道路区間及び「（ｂ）−（ｃ）」の道路区間）に対して挙動レベルが対応付けられているが、仮に、「（ｂ）−（ｃ）」の道路区間に挙動レベルが対応付けられていない場合には、ステップＳ２９の処理により「（ｂ）−（ｃ）」の道路区間に対して挙動レベルが付加されることになる。これにより、「（ａ）−（ｂ）」の道路区間に対応付けられていた挙動レベルについては有効に活用することができる。
【００７８】
次いで、ステップＳ３０では、システム制御部８は、２つの経路候補、例えば第１位の経路候補と第２位の経路候補の挙動レベルを比較し、挙動レベルの低い経路候補を選択する。なお、双方の挙動レベルが同一である場合は、順位の高い方の経路候補が選択される。
【００７９】
ここで、経路候補が一つの道路区間から構成されている場合、経路候補に対応付けられている挙動レベルは、当該道路区間に対応付けられた挙動レベルということになるが、経路候補が複数の道路区間から構成され、夫々の道路区間に挙動レベルが対応付けられている場合には、当該複数の挙動レベルのうち、例えば最も大きい挙動レベルが当該経路候補の挙動レベルとして用いられることになる（複数の挙動レベルが等しい場合は、当該挙動レベルが用いられることはいうまでも無い）。複数の挙動レベルを平均化して当該経路候補の挙動レベルとして用いるように構成してもよいが、なるべく危険度の高い道路区間を避けるという意味では、最も大きい挙動レベルが当該経路候補の挙動レベルとして用いられるようにした方が望ましい。
【００８０】
例えば、図７の例では、第１位の経路候補に対応付けられている挙動レベルは、“７”（道路区間「（ａ）−（ｂ）」に対応付けられている挙動レベル“５”と、道路区間「（ｂ）−（ｃ）」の道路区間に対応付けられている挙動レベル“７”のうちの高い（大きい）方）ということになり、第２位の経路候補に対応付けられている挙動レベルは、“５”ということになるため、双方の挙動レベルを比較すると、第２位の経路候補の方が低いので、ステップＳ３０の処理により、当該第２位の経路候補が選択されることになる。
【００８１】
次いで、システム制御部８は、挙動レベルの比較対象となる経路候補が未だ有るか否かを判別し（ステップＳ３１）、未だ有る場合には（ステップＳ３１：ＹＥＳ）、ステップＳ３０に戻り、２つの経路候補、例えばステップＳ３０で選択された経路候補と次の順位の経路候補の挙動レベルを比較し、挙動レベルの低い経路候補を選択する。このような処理により、最も挙動レベルが低い経路候補が最終的に残ることになる。
【００８２】
そして、システム制御部８は、挙動レベルの比較対象となる経路候補が無い場合には（ステップＳ３１：ＮＯ）、上記選択された（最終的に選択されていた）経路候補を推奨経路として決定し（ステップＳ３２）、ステップＳ３３に移行する。
【００８３】
図８は、図７の場合において推奨経路が決定されたときの様子を示す概念図である。図８の例では、第４位の経路候補（図中矢印の経路）が最も小さいので、当該経路候補が推奨経路として決定されることになる。
【００８４】
ステップＳ３３では、システム制御部８は、目的地点まで探索したか否かを判別し、目的地点まで探索していない場合には（ステップＳ３３：ＮＯ）、ステップＳ２１に戻り、更に次の地点までの経路探索を行って上記と同様の処理を行う。そして、目的地点まで探索された場合には（ステップＳ３３：ＹＥＳ）、当該処理が終了する。
【００８５】
こうして、経路探索が終了すると、システム制御部８は、経路案内（誘導）処理を開始することになる。そして、当該経路案内（誘導）処理においても、例えば車両の運転者からの挙動レベル対応付け開始指示があった場合には、図５に示す挙動レベル対応付け処理が実行されることになる。この場合、システム制御部８は、その案内経路において挙動レベルを決定すると、当該決定した挙動レベルに基づいて車両の挙動が危険状態にあるか否かを判断し、危険状態にあると判断した場合（例えば、図３に示すように、挙動レベルが“７”以上である場合）には、推奨経路の再探索を行うように構成しても良い。当該再探索においては、例えば、図６に示す経路探索処理が行われる。或いは、別の再探索の例として、例えば、現在走行中の道路区間の先にある道路区間のうち、先の経路探索処理において決定された推奨経路上の道路区間に対応付けられた挙動レベルよりも低い挙動レベルが対応付けられた道路区間が有る（存在する）か否かを探索し、そのような挙動レベルが低い道路区間が有る場合には、当該道路区間を推奨経路として新たに決定して、経路案内を行うように構成しても良い。なお、そのような挙動レベルが低い道路区間が無い場合は、先の経路探索処理において決定された推奨経路の案内処理が継続することになる。
【００８６】
以上説明したように、上記実施形態によれば、車両が過去に走行した経路に対して、当該経路を走行したときの当該車両の挙動についての危険度を段階的に表した挙動レベルが対応付けられた経路データを記憶しておき、目的地点までの推奨経路の探索に当たって、推奨経路となるべき経路候補が複数あるとき、少なくとも一つ経路候補に対して挙動レベルが対応付けられているか否かを判断し、当該挙動レベルが対応付けられている場合には、当該挙動レベルに基づいて（つまり、過去に走行したときの車両の挙動に関する情報）、何れの経路候補を推奨経路とするかを決定する、例えば挙動レベルが対応付けられた経路候補のうち、当該挙動レベルで表された危険度が最も低い経路候補を推奨経路として決定するように構成したので、運転者を安定した心理状態に導き、危険な運転を未然に防止する推奨経路を探索し、提供することができる。つまり、このように探索された推奨経路を案内されつつ車両が走行することにより、運転者の心理状態に無意識に余裕が出てきたり、安定した（落ち着いた）心理状態になり、車両挙動が安定することが期待でき、ひいては、危険な運転を回避できるのである。更に、運転者に安定した心理状態で運転させることができるので、リラックス状態を維持できるため緊張状態になりにくく、運転者を疲れにくくするという効果もある。
【００８７】
また、上述した挙動レベルは、個々の運転者の性格や癖等も反映されたものであるということができ、運転者の心理状態を安定にさせる経路について個人差があっても、その運転者が安全運転している（つまり、車両の挙動が安全状態にある）ときの経路を優先して推奨経路とすることができるので、個々の運転者毎に合った最適な推奨経路を探索し、提供することができる。
【００８８】
また、上記実施形態によれば、生体センサやＣＣＤカメラなどから運転者の状態を取込み解析するようなシステムを設けることなく、一般的な車載用ナビゲーション装置や車両に搭載されている各種センサなどを用いて上述した経路探索を実現できるので、コストを低減させることもできる。もちろん、生体センサやＣＣＤカメラなどから運転者の状態を挙動情報として取得して、これに基づいて挙動レベルを決定しても良い。
【００８９】
また、近年注目されている環境配慮において、急アクセルや急ブレーキといった危険な運転に繋がるような車両挙動は好まれず、一定速度により燃費効率の良い速度と緩やかなアクセルワークによる安定した運転状態は、無駄な燃料消費を抑え、排気ガスの低減や燃費の向上にも貢献するという効果もある。
【００９０】
また、決定した挙動レベルに基づいて車両の挙動が危険状態にあるか否かを判断し、危険状態にあると判断した場合に推奨経路の再探索を行う構成によれば、最新の挙動情報により、運転者を安定した心理状態に導き、危険な運転を未然に防止する推奨経路を探索し、提供することができる。
【００９１】
なお、上記実施形態においては、例えば挙動レベルが対応付けられた経路候補のうち、当該挙動レベルで表された危険度が最も低い経路候補を推奨経路として決定されるように構成したが、常に挙動レベルの低い経路を選択することを、必ずしも運転者が希望しているとは限らない。このため、挙動レベルが多少（例えば、１〜２程度）高くても、運転者による設定（例えば、距離優先、有料道路優先等の公知の設定）を優先して推奨経路を決定するように構成しても良い。また、運転者が、上記経路探索により決定された推奨経路とは異なる経路を故意に走行する場合には、当該経路を記憶しておき、その後再び経路探索する際に当該経路に対応付けられた挙動レベルが多少（例えば、１〜２程度）高くても、当該経路を推奨経路として決定するように構成しても良い。
【００９２】
また、上記実施形態においては、各道路区間において挙動情報を複数回取得し、当該取得した複数の挙動情報から求められる車両の挙動の変化に関する変化量に基づいて挙動レベルを決定するように構成したので、より一層、当該挙動レベルの正確性及び精度を向上させることができる。
【００９３】
なお、上記実施形態においては、各道路区間において挙動情報を複数回取得し、車両の挙動の変化に関する変化量に基づいて挙動レベルを決定するように構成した（この方法が当該挙動レベルの正確性及び精度を向上させるので望ましいのであるが）が、挙動レベルの決定方法としては、これに限定されるものではなく、当該変化量を求めないで、例えば取得した挙動情報から直接的に挙動レベルを決定する等、その他の方法によって挙動レベルを決定するものであっても構わない。
【００９４】
また、上記実施形態においては、実際に走行中の道路区間に対して挙動レベルを対応付けるように構成したが、走行履歴の無い道路区間に対して、当該道路区間と環境等が類似した道路区間に対応付けられている挙動レベルを対応付けるように構成しても良い。当該類似した道路区間は、例えば、道路幅や車線数が同じかどうか、区間距離が近い（所定距離内）かどうか、渋滞があるかどうか、大型ショッピングモール等の大型施設があるかどうかにより選定される。例えば、図７の例では、「（ｄ）−（ｅ）」の道路区間に対しては挙動レベルが対応付けられていないが、例えば「（ｄ）−（ｅ）」の道路区間と環境等が類似した「（ｅ）−（ｆ）」の道路区間に対応付けられている挙動レベルが、「（ｄ）−（ｅ）」の道路区間に対応付けられるように構成しても良い。これにより、初めて走行する道路や、走行回数が多い道路の近辺の走行経験のない道路に対して挙動レベルを設定することができ、特にいつも走行している道路の直ぐ横の通りなど、今まで走行したことが無いため知らなかった道路が存在した場合、この道路は運転者の心理状態に対して安定する効果が高い道路である可能性があり、そこへ誘導することにより、より安全運転に導くことが可能になる。また、走行距離が短い場合においても、この対応付けをさせることにより、挙動を安定させる効果を早い時点で達成することが可能となる。
【００９５】
また、上記実施形態においては、挙動レベルは、個々の車両に搭載された車載用ナビゲーション装置において決定され、走行した経路に対して対応付けられ経路データとして記憶されるものとしたが、通信回線等からなるネットワーク上に接続されたサーバが、当該経路データを、複数の車両における車載用ナビゲーション装置の夫々から当該ネットワークを介して取得（取り込み）し、統計処理を行うことで、一般的な傾向を掴むことができる。
【００９６】
例えば、図７の例において、「（ａ）−（ｂ）」の道路区間に対応付けられた挙動レベルが多くの車両において高い場合は、この道路区間は、一般的に運転者の心理状態を不安定にさせる要素があると統計的に推測できる。このように統計処理された挙動レベルを含む経路データを、当該経路の走行経験の無い車両に搭載された車載用ナビゲーション装置に対して、ネットワークを介して提供するように構成すれば、当該経路を走行経験の無い車両に搭載された車載用ナビゲーション装置においても当該経路データを利用して上述した経路探索を行うことができる。
【００９７】
なお、上述した経路探索は、挙動レベルと共に、地図データに組み込まれている施設情報、道路情報、渋滞情報、天候情報等を考慮して行うことも可能である。
【００９８】
また、上記実施形態においては、車両に搭載された車両ナビゲーション装置Ｓに対して本願の経路探索装置及び経路探索等を適用した場合の例を示したが、これに限定されるものではなく、例えば、通信ナビゲーション端末と、当該通信ナビゲーション端末がアンテナ及び移動体通信ネットワーク（無線基地局等を含む）を介して接続される通信センタ装置と、を含んで構成された通信ナビゲーションシステムに対して適用可能である。
【００９９】
また、上記実施形態については、移動体として車両を例にとって説明したが、これに限定されるものではなく、移動体として航空機、船舶等に対して適用可能である。
【図面の簡単な説明】
【０１００】
【図１】本実施形態に係る車載用ナビゲーション装置の概要構成例を示す図である。
【図２】経路データの内容の一例を示す図である。
【図３】挙動レベルと危険度との関係の一例を示す図である。
【図４】一道路区間において、車両走行中に所定間隔（例えば、１秒）毎に求められた、車両の挙動に関する変化量（例えば、車両の速度の変化量）を時系列的に示した概念図である
【図５】システム制御部８における挙動レベル対応付け処理を示すフローチャートである。
【図６】システム制御部８における経路探索処理を示すフローチャートである。
【図７】出発地点から目的地点に至る途中の経路候補を含む地図の一例を示す図である。
【図８】図７の場合において推奨経路が決定されたときの様子を示す概念図である。
【符号の説明】
【０１０１】
１  ＧＰＳ受信部
２  センサ部
３  交通情報受信部
４  情報記憶部
５  表示部
６  音声出力部
７  操作部
８  システム制御部
Ｓ  車載用ナビゲーション装置
【図１】
2008175571.tif 000003
【図２】
2008175571.tif 000004
【図３】
2008175571.tif 000005
【図４】
2008175571.tif 000006
【図５】
2008175571.tif 000007
【図６】
2008175571.tif 000008
【図７】
2008175571.tif 000009
【図８】
2008175571.tif 000010